(57)【特許請求の範囲】
【請求項１】
送風口を有し、かつこの送風口からの送風方向を変更可能とされた送風手段と、
前記送風口からの送風が行なわれる領域またはその近傍領域に向けてその送風方向と略同一方向にミスト噴出を行なうことが可能なミスト噴出口を有し、かつこのミスト噴出口からのミスト噴出方向を変更可能とされたミスト噴出手段と、
を備えている、ミスト噴出機能を備えた浴室空調装置であって、
前記ミスト噴出および前記送風がともに実行されるミスト噴出・送風モードが設定された場合において、ミスト噴出方向および送風方向のいずれか一方が変更されたときには、これに伴って他方もそれと同一方向に変更され、前記送風が行なわれる領域またはその近傍領域にミストが供給される状態が維持されるように構成されており、
前記送風手段は、ファンを収容するケーシングの下部または下部近傍に取り付けられて略水平な軸周りに揺動可能なルーバを備え、
前記ミスト噴出口は、前記ケーシングの下面部または下方のうち、前記ルーバよりも後方に配されており、
前記ミスト噴出・送風モードが設定されている場合において、前記ルーバが下向きまたは斜め下向きの姿勢となって前記ケーシングの下方に突出したときには、前記ミスト噴出口も下向きまたは斜め下向きとなって、前記ルーバにミストが当たることが抑制されるように構成されており、
前記ミスト噴出手段は、非加熱の水がミスト化された冷水ミストを前記ミスト噴出口から噴出可能であるとともに、前記冷水ミストの噴出動作は、所定の操作スイッチが予め定められた時間以上継続して押圧操作されることを条件として開始されるように構成されていることを特徴とする、ミスト噴出機能を備えた浴室空調装置。
【請求項２】
前記ミスト噴出・送風モードとは別のモードが設定されているときに、前記送風口からの送風方向を変更するための操作スイッチを有するリモコンを備えており、
前記ミスト噴出・送風モードが設定されたときには、前記操作スイッチが前記ミスト噴出方向および前記送風方向をともに変更するための操作スイッチを兼用するように構成されている、請求項１に記載のミスト噴出機能を備えた浴室空調装置。
【請求項３】
前記リモコンには、前記ミスト噴出・送風モードとは別のモードが設定されているときに、前記送風口からの送風方向を表示可能な表示部が設けられており、
前記ミスト噴出・送風モードが設定されたときには、前記送風方向の表示が前記ミスト噴出方向をも兼用して表示するように構成されている、請求項２に記載のミスト噴出機能を備えた浴室空調装置。
【請求項４】
前記ミスト噴出手段は、非加熱の水がミスト化された冷水ミストを前記ミスト噴出口から噴出する際の噴出量を所定の小噴出量と大噴出量とに切り換え可能であるとともに、
前記冷水ミストの噴出が開始されるときの噴出量は、前記小噴出量とされるように構成されている、請求項１ないし３のいずれかに記載のミスト噴出機能を備えた浴室空調装置。
【発明の詳細な説明】
【技術分野】
【０００１】
本発明は、加熱生成された温水または非加熱の水をミスト化して噴出することが可能なミスト噴出機能を備えた浴室空調装置に関する。
【背景技術】
【０００２】
従来、ミスト噴出機能を備えた浴室空調装置の一例としては、特許文献１に記載のものがある。同文献に記載されたものは、浴室空気を加熱し、かつこの加熱された空気を送風口から浴室の所望領域に向けて吹き出すことが可能とされた浴室空調装置に、ミスト噴出ユニットが組み合わされている。このミスト噴出ユニットは、外部から湯水が供給される略水平状の管体に、ミストノズルが取り付けられた構成を有しており、前記管体がモータの駆動により水平軸周りに回転自在とされていることにより、ミストノズルの向きが上下方向に変更可能となっている。
【０００３】
このような構成によれば、浴室の空調が可能なことに加え、浴室内にミストを噴出させることによって入浴者がミストシャワーを浴びるといったことも可能となる。また、ミストの噴出方向を変更することができるために、たとえば入浴者がいる場所や身長などの諸条件に応じて、ミストの供給場所を適宜調整することもできる。
【０００４】
しかしながら、前記従来技術においては、次に述べるように、未だ改善すべき点があった。
【０００５】
すなわち、ミストノズルから浴室に向けて噴出されるミストは、広がり易く、直進性に劣る。このため、ミストノズルから単にミストを噴出させただけでは、ミストノズルから比較的距離が離れている位置に多くのミストを集中的に供給することは難しい。これに対し、ミスト噴出時に、送風口から送風を行なわせて、その空気流にミストを乗せると、ミストノズルから比較的距離が離れている位置に対しても比較的多くのミストを供給することができる。ただし、このように送風口からの送風を利用してミストを効率良く所望の位置に供給させるには、たとえばミストの噴出方向と送風口からの送風方向とを略同一方向に揃わせるといった必要がある。
【０００６】
一方、前記従来技術においては、ミスト噴出方向と送風方向とは、互いに関連付けて制御されていないのが実情であり、それらの方向は個別に調整されるように構成されている。このため、従来においては、ミスト噴出方向を変更した場合には、その後に送風方向を変更するための操作を別途行なう必要があり、これが煩雑なものとなっていた。また、従来においては、ミスト噴出方向と送風方向とが不適切な関係に設定されてしまう虞もある。すなわち、たとえばミスト噴出方向については、ユーザの要望する方向に適切に調整されていたとしても、送風方向が不適切な方向に設定されてしまう場合がある。このような設定がなされたのでは、ユーザが要望する領域に供給されるミスト量が却って少なくなる場合がある。従来においては、このような点において、改善すべき余地があった。
【０００７】
なお、前記した特許文献１には、送風口からの「送風量」に応じてミストの噴出方向を制御する手段が記載されているが、このような手段では、前記したような不具合を解消することは困難である。
【０００８】
【特許文献１】特開２００３−３１０６９８号公報
【発明の開示】
【発明が解決しようとする課題】
【０００９】
本発明は、前記したような事情のもとで考え出されたものであって、送風口からの送風を利用して多くのミストを浴室の所望領域に効率良く供給することを容易かつ適切に行なうことが可能なミスト噴出機能を備えた浴室空調装置を提供することを、その課題としている。
【課題を解決するための手段】
【００１０】
上記の課題を解決するため、本発明では、次の技術的手段を講じている。
【００１１】
本発明により提供されるミスト噴出機能を備えた浴室空調装置は、送風口を有し、かつこの送風口からの送風方向を変更可能とされた送風手段と、前記送風口からの送風が行なわれる領域またはその近傍領域に向けてその送風方向と略同一方向にミスト噴出を行なうことが可能なミスト噴出口を有し、かつこのミスト噴出口からのミスト噴出方向を変更可能とされたミスト噴出手段と、を備えている、ミスト噴出機能を備えた浴室空調装置であって、前記ミスト噴出および前記送風がともに実行されるミスト噴出・送風モードが設定された場合において、ミスト噴出方向および送風方向のいずれか一方が変更されたときには、これに伴って他方もそれと同一方向に変更され、前記送風が行なわれる領域またはその近傍領域にミストが供給される状態が維持されるように構成されており、前記送風手段は、ファンを収容するケーシングの下部または下部近傍に取り付けられて略水平な軸周りに揺動可能なルーバを備え、前記ミスト噴出口は、前記ケーシングの下面部または下方のうち、前記ルーバよりも後方に配されており、前記ミスト噴出・送風モードが設定されている場合において、前記ルーバが下向きまたは斜め下向きの姿勢となって前記ケーシングの下方に突出したときには、前記ミスト噴出口も下向きまたは斜め下向きとなって、前記ルーバにミストが当たることが抑制されるように構成されており、前記ミスト噴出手段は、非加熱の水がミスト化された冷水ミストを前記ミスト噴出口から噴出可能であるとともに、前記冷水ミストの噴出動作は、所定の操作スイッチが予め定められた時間以上継続して押圧操作されることを条件として開始されるように構成されていることを特徴としている。
【００１２】
このような構成によれば、ミスト噴出方向および送風方向のいずれか一方を変更すれば、他方もそれと同方向に変更されるために、従来技術とは異なり、ミスト噴出方向と送風方向とを個別に変更する操作を行なう必要はなく、ミスト噴出方向を変更するための操作または作業が容易となる。また、本発明によれば、ミスト噴出方向と送風方向とは、送風が行なわれる領域またはその近傍領域にミストが供給される状態が維持されるように変更されるために、従来技術とは異なり、ミスト供給量が却って少なくなるようにミスト噴出方向と送風方向とが不適切な状態に設定される虞が無くなり、送風を利用してミストを浴室の所望領域に集中的に供給することが適切に実行される効果も得られる。なお、本発明においては、送風が行なわれる領域にミストが直接供給されることに代えて、その近傍領域にミストが供給されるように構成されていてもよいが、この後者の場合であっても、送
風による負圧作用によってミストを送風領域に導かせて、送風を利用したミスト供給を適切に実現することが可能である。
また、前記構成によれば、ルーバに多くのミストが当たって水滴化し、かつこの水滴がルーバの下方に流れ落ちるといった不具合を好適に回避することができる。
さらに、所定の操作スイッチが短時間押圧されただけでは、冷水ミストが噴出されることはなく、入浴者が意図しないにも拘わらず、誤操作などに基づいて冷水ミストが噴出される虞を少なくすることができる。
【００１５】
本発明の好ましい実施の形態においては、前記ミスト噴出・送風モードとは別のモードが設定されているときに、前記送風口からの送風方向を変更するための操作スイッチを有するリモコンを備えており、前記ミスト噴出・送風モードが設定されたときには、前記操作スイッチが前記ミスト噴出方向および前記送風方向をともに変更するための操作スイッチを兼用するように構成されている。
【００１６】
このような構成によれば、リモコンの操作スイッチの数が多くなることを回避し、リモコン操作の容易化を図ることができる。
【００１７】
本発明の好ましい実施の形態においては、前記リモコンには、前記ミスト噴出・送風モードとは別のモードが設定されているときに、前記送風口からの送風方向を表示可能な表示部が設けられており、前記ミスト噴出・送風モードが設定されたときには、前記送風方向の表示が前記ミスト噴出方向をも兼用して表示するように構成されている。
【００１８】
このような構成によれば、リモコンの表示部の表示が複雑なものになることを回避し、ユーザにとって表示内容を理解し易いものとすることができる。
【００１９】
本発明の好ましい実施の形態においては、前記ミスト噴出手段は、非加熱の水がミスト化された冷水ミストを前記ミスト噴出口から噴出し、かつその際の噴出量を所定の小噴出量と大噴出量とに切り換え可能であるとともに、前記冷水ミストの噴出が開始されるときの噴出量は、前記小噴出量とされるように構成されている。
【００２０】
このような構成によれば、入浴者が冷水ミストを浴びるときに、この冷水ミストが入浴者に対していきなり大噴出量で噴出されることが適切に防止され、入浴者の身体が冷水ミストによって急激に冷やされる虞を無くすことができる。
【００２３】
本発明のその他の特徴および利点は、添付図面を参照して以下に行なう発明の実施の形態の説明から、より明らかになるであろう。
【発明を実施するための最良の形態】
【００２４】
以下、本発明の好ましい実施の形態について、図面を参照して具体的に説明する。
【００２５】
図１〜図７は、本発明が適用されたミスト噴出機能を備えた浴室空調装置およびこれに関連する構成の一実施形態を示している。図１に示すように、本実施形態の浴室空調装置Ａ１は、浴室の側壁９に取り付けられて使用される壁掛け型であり、送風用のルーバ１０を下部に有し、かつ内部に制御部２を収容しているケーシング１と、このケーシング１の下部に一対の連結部材３９を介して連結されたミスト噴出ユニット３と、ワイヤレスのリモコン４とを備えている。
【００２６】
図２に示すように、ケーシング１は、たとえばネジ体８９を利用して浴室の側壁９に固定された固定具８を利用して側壁９に取り付けられており、その内部には、ファン６および熱交換器７が収容されている。ファン６は、ケーシング１の上部に設けられている吸気口１２からケーシング１内に浴室空気を吸入し、かつこの空気を送風口１１から浴室に吹き出すためのものである。熱交換器７は、ファン６の駆動によりケーシング１内に吸入された浴室空気を加熱するためのものであり、ファン６を取り囲む複数のブロック７０ａ〜７０ｃに区分されている。これらのブロック７０ａ〜７０ｃは、いずれも伝熱管の周囲に多数枚のフィンが設けられた構成を有しており、前記伝熱管内に温水が供給されることによってエア加熱が可能である。
【００２７】
送風口１１は、ルーバ１０を用いて構成されている。このルーバ１０は、略水平な軸Ｃ１を中心として矢印Ｎ１に示す上下方向に揺動自在であり、このことにより送風口１１の向きを変更し、送風方向を変更可能である。なお、ルーバ１０は、たとえば図５に示すように、枠体１３の内部に配され、かつその一端側の軸部１０ａにモータＭ１の駆動軸が連結された構成とされる。モータＭ１は、ルーバ１０を軸Ｃ１周りに回転（揺動）させるためのものである。ルーバ１０は、複数の軸部１０ｂが枠体１３の複数の孔部１３ｂに挿入されることによって回転可能に支持されているが、この支持構造において、ハット状の軸受部材１４が用いられている。この軸受部材１４は、ルーバ１０および枠体１３よりも表面の摩擦係数が小さい樹脂製である。このような構成によれば、軸部１０ｂと孔部１３ｂの内周との直接接触が回避されることに加えて、ルーバ１０の側面１０ｃとこれに対面する枠体１３の内壁面１３ｃとの間には隙間ｓ１が形成され、これらの部分が大きな面積で直接接触することも回避される。このため、ルーバ１０を揺動させた際に、このルーバ１０と枠体１３とが擦れ合う音を発生し難くすることができる。
【００２８】
図２に示すように、ミスト噴出ユニット３は、ケーシング１の下方であって、送風口１１よりも後方側に位置しており、ユニットケース３０内に複数のミストノズル３１が設けられた構成を有している。これら複数のミストノズル３１のそれぞれの先端がミスト噴出口３１ａである。ケーシング１の前面部には、各ミスト噴出口３１ａをユニットケース３０の外部に望ませるための開口部３２が設けられており、この開口部３２からミストを外部に噴出させることが可能である。図３に示すように、ユニットケース３０は、ケーシング１の左右幅方向に延びており、複数のミストノズル３１は、幅方向に適当な間隔で並ぶようにして管体部３３に接続されている。この管体部３３内には、ケーシング１側から温水または非加熱の水を切り替え供給可能であり、この管体部３３内に温水または非加熱の水が供給されると、各ミストノズル３１によってそれらがミスト化されて噴出されるようになっている。
【００２９】
ユニットケース３０の両端部には、ミスト噴出ユニット３を略水平な軸Ｃ２周りに回転させるための一対のモータＭ２が取り付けられている。各モータＭ２は、その本体部分がユニットケース３０に固定されているのに対して、その駆動軸が連結部材３９の下部に対して相対回転不能に連結された構成である。なお、連結部材３９の上部は、ケーシング１に固定されている。このような構成によれば、各モータＭ２を駆動させると、このモータＭ２の本体部がユニットケース３０と一緒に、駆動軸および連結部材３９に対して相対回転することとなり、ミスト噴出ユニット３の全体が軸Ｃ２を中心として矢印Ｎ２方向に回転する（図２も参照）。この回転動作により、ミスト噴出方向を変更可能である。
【００３０】
リモコン４は、たとえば赤外線通信方式により制御部２との間でデータ通信が可能であり、図４に示すように、ミストサウナモードを選択するための操作スイッチ４０ａ、冷水ミストモードを選択するための操作スイッチ４０ｂ、送風口１１からの送風方向を変更するための操作スイッチ４０ｃ、および送風量の変更用やその他の種々の空調制御用の操作スイッチを備えている。なお、前記のミストサウナモードとは、ミスト噴出口３１ａから温水ミストを噴出しつつ、送風口１１から温風を送風するモードであり、本発明でいうミスト噴出・送風モードの一例に相当する。これに対し、前記の冷水ミストモードとは、ミスト噴出口３１ａから非加熱の水のミストを噴出しつつ、送風口からは非加熱空気の送風を行なうモードであり、本発明でいうミスト噴出・送風モードの他の例に相当する。操作スイッチ４０ｃは、ミスト噴出がなされない他のモード（たとえば、暖房モードや浴室乾燥モードなど）が設定されているときには、送風方向を変更するための操作スイッチとして機能するが、前記したミストサウナモードまたは冷水ミストモードの設定時には、送風方向とミスト噴出方向との双方をともに変更するための操作スイッチとして機能するようになっている。このような構成によれば、操作スイッチの総数を少なくし、操作を簡単なものとするのに好ましいものとなる。
【００３１】
リモコン４の画像表示部４１は、選択された運転モードの表示領域ａ１や、風量の表示領域ａ２に加えて、送風口１１からの送風方向の表示領域ａ３なども有している。この送風方向の表示領域ａ３は、ミストサウナモードまたは冷水ミストモードの設定時においては、送風方向とミスト噴出方向との双方の表示を兼用するようになっている。後述するように、本実施形態においては、基本的に、送風方向とミスト噴出方向とは一致するために、そのような兼用を行なってもなんら不具合はなく、画像表示の兼用により表示を見やすくする利点が得られる。
【００３２】
図１に示した制御部２は、たとえばマイクロコンピュータを用いて構成されており、メモリに記憶されている制御プログラムやリモコン４からの動作指令に基づいて、この浴室空調装置Ａ１の各部の動作制御を実行するように構成されている。この制御部２は、ミスト噴出ユニット３を矢印Ｎ２方向に回転させてミスト噴出方向を変更する制御や、ルーバ１０の角度を変更させて送風口１１からの送風方向を変更する制御を実行するが、後述するように、ミストサウナモードや冷水ミストモードが選択された一定条件下においては、操作スイッチ４０ｃが操作されたときにミスト噴出方向および送風方向の双方をともに変更し、これらの方向をたとえば図６（ａ）〜（ｄ）に示すような一定の関係とする制御を実行するように構成されている。
【００３３】
より具体的には、ミスト噴出口３１ａからのミスト噴出角度は、たとえば４段階に変更可能とされており、図６（ａ）〜（ｄ）に示すように、ミスト噴出の角度（鉛直線に対する傾斜角度）をθ１〜θ４のいずれかに変更可能とされている。これに対し、制御部２は、たとえばミスト噴出角度をθ１とするときには、これに対応させて送風方向の角度をθ１’とし、またミスト噴出角度をθ２〜θ４に順次変更するときには、これらに対応させて送風方向の角度をθ２’〜θ４’に変更する制御を実行するように構成されている。図６においては、θ１〜θ４およびθ１’〜θ４’の互いに対応する角度が略同一とされており、ミスト噴出方向と送風方向とが略平行となっているが、ミスト噴出領域と送風領域とは互いに接近しているために、ミストが送風領域の負圧作用によって送風領域に引き寄せられ、この送風領域の空気流にミストを乗せて運ばせる作用を得ることが可能である。もちろん、これとは異なり、送風領域に対して多少交差する角度でミストが噴出されるようにして、ミストを送風領域の空気流に乗せることも可能である。なお、本実施形態の浴室空調装置Ａ１においては、後述するように、ミスト噴出方向を変化させることなくルーバ１０を継続的に揺動させるスイングモードを選択することも可能であり、このようなスイングモードが選択された場合には、図６（ａ）〜（ｄ）に示した関係の制御はむろん実行されない。
【００３４】
次に、前記した浴室空調装置Ａ１の作用について説明する。併せて、制御部２の動作処理手順の一例について、図８のフローチャートを参照して説明する。
【００３５】
まず、リモコン４の操作スイッチ４０ａがユーザにより操作されて、ミストサウナモードが選択された場合には、制御部２はこのモードを設定する（Ｓ１：ＹＥＳ，Ｓ２）。このミストサウナモードにおいては、熱交換器７およびファン６の双方を駆動オンにするとともに、ミスト噴出口３１ａからは温水のミストを噴出させる。
【００３６】
次いで、前記のミストサウナモード時において、ミスト噴出方向を変更するための操作スイッチ４０ｃが操作されたときには、スイングモードが選択されていないことを条件として、制御部２は、ミスト噴出方向と送風方向とをともに変更させる制御を実行する（Ｓ３：ＹＥＳ，Ｓ４：ＹＥＳ，Ｓ５）。ミストサウナモードが実行される際の初期状態は、たとえば図６（ａ）に示した状態とされており、この状態において操作スイッチ４０ｃが１回操作されると、図６（ｂ）に示した状態となるようにミスト噴出方向および送風方向が変更される。さらに、その後も操作スイッチ４０ｃが繰り返して操作されると、図６（ｃ），（ｄ）に示した状態に順次切り替わるようにして行なわれ、図６（ａ）〜（ｄ）のいずれの状態をも適宜選択できるようになっている。
【００３７】
前記したように、操作スイッチ４０ｃを操作するだけで、ミスト噴出方向および送風方向がともに切り替わるように制御されれば、ユーザにとってスイッチ操作が容易となる。また、既述したように、図６（ａ）〜（ｄ）に示したいずれの状態に設定された場合であっても、ミスト噴出口３１ａから噴出したミストは、送風口１１からの空気流によってガイドされる。したがって、ミスト噴出口３１ａから比較的距離が離れている場所に対しても多くのミストを効率良く供給することができる。本実施形態とは異なり、ミスト噴出方向と送風方向とを個別に調整する仕様とし、かつそれらの調整をユーザに委ねた場合には、それらの調整が不適切な内容とされて空気流を利用してミストを効率良く所望の箇所に供給できなくなる虞がある。これに対し、本実施形態によれば、そのような虞は好適に解消される。
【００３８】
さらに、図７に示すように、ルーバ１０を斜め下方、または下方を向く姿勢に設定したときには、このルーバ１０の先端部がケーシング１の下方に適当な寸法ｓ２だけ突出する。これに対し、その際にはミスト噴出口３１ａも斜め下方、または下方を向き、このミスト噴出口３１ａから噴出したミストがルーバ１０に向けて直接進行しないようにされる。その結果、ミスト噴出口３１ａがルーバ１０よりも後方側に配されているにも拘わらず、ルーバ１０にミストが多く当たって水滴化する不具合も適切に防止することができる。
【００３９】
なお、ミストサウナモードの設定時において、スイングモードが選択されたときには、ミスト噴出方向を一定にしたまま、ルーバ１０を上下に揺動させて送風方向のみを連続的に変化させる制御がなされる（Ｓ４：ＮＯ，Ｓ８）。このようにすると、ミスト噴出ユニット３を回転させることなく、ミストを浴室の広い領域に効率良く拡散させることができる。もちろん、本発明においては、送風方向を連続的に変化させている際に、これに伴ってミスト噴出方向も連続的に変化させる構成とすることもできる。この場合、ミスト噴出方向および送風方向については、図６に示したような一定の関係に維持させることが好ましい。また、本実施形態から理解されるように、本発明においては、ミストサウナモード（ミスト噴出・送風モード）が設定されている際に、ミスト噴出方向および送風方向の双方を常に一緒に変更させなくてもよく、前記したスイングモードのように、ミスト噴出方向および送風方向の一方のみが変更されるモードが設けられていてもよい。
【００４０】
一方、前記とは異なり、冷水ミストモードを設定するための操作スイッチ４０ｂが押圧操作された場合には、その押圧操作が所定時間（たとえば１秒）以上継続して行なわれた場合に限り、制御部２は、この操作を有効とし、前記冷水ミストモードを設定する（Ｓ１：ＮＯ，Ｓ９：ＹＥＳ，Ｓ１０：ＹＥＳ，Ｓ１１）。このように、冷水ミストモードが設定される条件として、操作スイッチ４０ｂの押圧操作が所定時間以上継続して行なわれることを条件とすれば、操作スイッチ４０ｂが誤って押圧操作されることに起因して、冷水ミストを想定していない入浴者が冷水ミストを浴びる虞を少なくすることができる。制御部２は、冷水ミストモードの設定時においては、熱交換器７をオフにしたままファン６をオンにするとともに、ミスト噴出口３１ａからは非加熱の水のミストを噴出させる。冷水ミストは、たとえば夏期などにおいて入浴者が爽快感を得るのに好適である。
【００４１】
前記した冷水ミストの噴出開始時には、その噴出量が小噴出量とされる。ここで、小噴出量とは、冷水ミストモード時のミスト噴出量が、たとえば小噴出量と大噴出量との２段階、あるいはそれよりも多段階に切り換え可能とされている場合において、それらのうちのミスト量が最も少なくされた噴出量である。冷水ミストの噴出開始時に、その噴出量が少なくされていれば、入浴者が冷たいミストを大量に、かつ急激に浴びることが回避され、不慮の事故などを防止するのに好ましいものとなる。
【００４２】
冷水ミストモード時においても、先に述べたミストサウナモード時と同様に、操作スイッチ４０ｃが操作されたときには、ステップＳ５の制御（図６（ａ）〜（ｄ）に示したようにミスト噴出方向と送風方向とをともに変更する制御）、あるいはステップＳ８の制御（ミスト噴出方向を一定にしたままルーバ１０を上下に揺動させる制御）が実行される。また、冷水ミストモードとミストサウナモードとのいずれが設定されている場合であっても、その後にリモコン４が操作されて停止が選択されたときには、熱交換器７およびファン６がともにオフとされ、またミスト噴出が停止した状態とされて、前記モードが終了する（Ｓ６：ＹＥＳ，Ｓ７）。
【００４３】
図９〜図１１は、本発明の他の実施形態を示している。これらの図において、前記実施形態と同一または類似の要素には、前記実施形態と同一の符号を付し、その説明は省略する。
【００４４】
図９および図１０に示す浴室空調装置Ａ２，Ａ３は、ともに天井設置型であり、ファン６、熱交換器７、および制御部２を収容したケーシング１が、浴室の天井壁９Ａに取り付けられている。ケーシング１の下面部のカバーパネル１８には、吸気口１２および送風口１１が設けられており、送風口１１からの送風方向は矢印Ｎ３方向に揺動可能なルーバ１０によって変更可能である。また、カバーパネル１８には、連結部材３９を介してミスト噴出ユニット３も取り付けられている。このミスト噴出ユニット３は、矢印Ｎ４方向に回転可能であり、図９の浴室空調装置Ａ２では、送風口１１の後方側（送風口１１からの主な送風方向は図面右側方向および右下方向であり、その送風方向とは反対側）に配されている。これに対し、図１０の浴室空調装置Ａ３では、前記とは反対に、送風口１１の前方側にミスト噴出ユニット３が配されている。浴室空調装置Ａ２，Ａ３のいずれにおいても、好ましくは、送風口１１およびミスト噴出ユニット３は、これらの間に吸気口１２が位置しない配置とされ、互いに接近して設けられている。
【００４５】
本発明は、前記したような浴室空調装置Ａ２，Ａ３のいずれにも適用することが可能であり、制御部２の制御によって送風口１１からの送風方向とミスト噴出口３１ａからのミスト噴出方向とをたとえば略同一の角度にするように制御することによって、本発明が意図する作用を得ることができる。これらの実施形態から理解されるように、本発明は、壁掛け型の装置に限らず、天井設置型などの他のタイプの浴室空調装置にも適用することができる。
【００４６】
図１１に示す浴室空調装置Ａ４においては、ルーバ１０にミスト噴出ユニット３が取り付けられており、ルーバ１０が矢印Ｎ５方向に揺動する際には、ミスト噴出ユニット３もそれと同方向に同角度だけ揺動するように構成されている。したがって、このような構成であっても、送風口１１からの送風方向とミスト噴出口３１ａからのミスト噴出方向とをたとえば略同一方向に揃えて、本発明が意図する作用を得ることができる。また、本実施形態によれば、ミスト噴出ユニット３がルーバ１０に伴って揺動するために、それらの向きを個々に制御する必要がなく、それらの制御も容易となる。本実施形態から理解されるように、本発明においては、ミスト噴出手段をルーバに取り付けることによって、ミスト噴出方向と送風方向とを同時に変更させるように構成することもできる。
【００４７】
本発明は、上述した実施形態の内容に限定されない。本発明に係るミスト噴出機能を備えた浴室空調装置の各部の具体的な構成は、種々に設計変更自在である。
【００４８】
本発明においては、ミスト噴出方向および送風方向のいずれか一方が変更されるときには、これと同時に他方も変更されることが好ましいものの、本発明はそれらの変更時期に多少の時間差があってもよい。たとえば、ルーバの姿勢が変更されて送風方向の変更を完了した後に、ミスト噴出ユニットの姿勢を変更する動作が開始されてミスト噴出方向が変更されるように構成されている場合であっても、本発明の技術的範囲に包摂される。
【００４９】
ミスト噴出手段は、浴室空調装置のケーシングに外付けされていなくてもよく、たとえば浴室空調装置のケーシングの内部に組み込まれた構成とすることもできる。本発明でいうミスト噴出手段は、加熱生成された温水または非加熱の水をミスト化して噴出し得る構成であればよく、ミスト噴出口の具体的な数なども限定されない。また、ミスト噴出口は、要は、送風口からの送風が行なわれる領域またはその近傍領域に向けてその送風方向と略同一方向にミスト噴出を行なうことが可能なように送風口に接近または比較的接近した配置に設けられていればよい。本発明でいう送風手段は、送風口からの送風方向を変更可能であればよく、やはりその具体的な構成は問わない。
【図面の簡単な説明】
【００５０】
【図１】本発明に係るミスト噴出機能を備えた浴室空調装置の一例を示す外観斜視図である。
【図２】図１に示すミスト噴出機能を備えた浴室空調装置の概略断面図である。
【図３】図１に示すミスト噴出機能を備えた浴室空調装置に具備されているミスト噴出ユニットの概略構成を模式的に示す要部正面断面図である。
【図４】図１に示すミスト噴出機能を備えた浴室空調装置に具備されているリモコンを示す正面図である。
【図５】図２のＶ−Ｖ要部断面図である。
【図６】（ａ）〜（ｄ）は、図１に示すミスト噴出機能を備えた浴室空調装置におけるミスト噴霧方向と送風方向との関係を示す説明図である。
【図７】図１に示すミスト噴出機能を備えた浴室空調装置の動作状態の一例を示す要部断面図である。
【図８】図１に示すミスト噴出機能を備えた浴室空調装置に具備されている制御部の動作処理手順の一例を示すフローチャートである。
【図９】本発明の他の例を示す要部断面図である。
【図１０】本発明の他の例を示す要部断面図である。
【図１１】本発明の他の例を示す要部断面図である。
【符号の説明】
【００５１】
Ａ１〜Ａ４    ミスト噴出機能を備えた浴室空調装置
２    制御部
３    ミスト噴出ユニット（ミスト噴出手段）
４    リモコン
６    ファン（送風手段）
１０  ルーバ（送風手段）
１１  送風口
１２  吸気口
３１ａ    ミスト噴出口
４０ａ〜４０ｃ    操作スイッチ
４１    画像表示部（リモコンの）
【図１】
0005266840.tif 000002
【図２】
0005266840.tif 000003
【図３】
0005266840.tif 000004
【図４】
0005266840.tif 000005
【図５】
0005266840.tif 000006
【図６】
0005266840.tif 000007
【図７】
0005266840.tif 000008
【図８】
0005266840.tif 000009
【図９】
0005266840.tif 000010
【図１０】
0005266840.tif 000011
【図１１】
0005266840.tif 000012